(57)【要約】      （修正有）【課題】トラック等の荷台に被搬送物を載置して搬送する場合に、被搬送物を複数段に積み上げることを可能にし、かつ、搬送中のに擦れ等による損傷の発生を防止することが出来るトラック段積載用冶具を得る。【解決手段】トラック段積載用冶具１は、台座６及び台座を所定高さに支持する脚柱８よりなり、台座上面に積載品移動防止用の生ゴム等の、摩擦係数が大なるクッション材１０を配してなる架台９を有し、前記架台９には、トラックの荷台２と架台９とを固定する固定部材１６を設けてなる。【選択図】図１
0003150789.tif 000002
【実用新案登録請求の範囲】
【請求項１】
台座及び台座を所定高さに支持する脚柱よりなり、台座上面に積載品移動防止用の生ゴム等の、摩擦係数が大なるクッション材を配してなる架台には、トラックの荷台と架台とを固定する固定手段を設けてなるトラック段積載用冶具。
【請求項２】
台座側面に、引き出し可能に積載品固定ロープ取付用取手を設けたことを特徴とする請求項１記載のトラック段積載用冶具。
【考案の詳細な説明】
【技術分野】
【０００１】
本考案は、トラック等の輸送手段において、積載物の高さに応じて、搬送物を荷台に段斥することを可能にした、トラック段積載用冶具に関する。
【背景技術】
【０００２】
トラック等で荷物を搬送する際には、荷台の床面に被搬送物を積み上げるなどして移動するのが普通であるが、被搬送物が、例えば機械装置などの梱包されていないような場合、高さに余裕があっても複数段積み上げることが出来ず、荷台床面に被搬送物を並べるような状態で置いていたために搬送効率が極めて悪いものであった。
【０００３】
そこで、被搬送物をトラック等に乗せる際に、被搬送物を段積みにして、積載量を多くすることが行なわれ、被搬送物の形状に適応したラックなどにより複数段に積み重ねることが行なわれた（特許文献１参照）。
然し、このような手段では特定の被搬送物専用の搬送手段となり、被搬送物を選択することなく、各種の搬送物を搬送するという事は不可能であった。
【０００４】
また、トラック等の荷台面に被搬送物を載置した場合、ロープ等によって、被搬送物を固定するが、ややもすると搬送途中に振動等により被搬送物が移動し、荷擦れ等が生じ、例えば搬送物表面の塗装に傷が付くなどの事故を生ずることがあった。
【先行技術文献】
【特許文献】
【０００５】
【特許文献１】実開平４−６５０４８号公報（第１頁，図１）
【考案の概要】
【考案が解決しようとする課題】
【０００６】
本考案は、上記の点に鑑みて、トラック等の荷台に被搬送物を載置して搬送する場合に、被搬送物を複数段に積み上げることを可能にし、かつ、搬送中のに擦れ等による損傷の発生を防止することが出来るトラック段積載用冶具を得ることを目的としている。
【課題を解決するための手段】
【０００７】
本考案トラック段積載用冶具は、台座及び台座を所定高さに支持する脚柱よりなり、台座上面に積載品移動防止用の生ゴム等の、摩擦係数が大なるクッション材を配してなる架台には、トラックの荷台と架台とを固定する固定手段を設けてなる。
【考案の効果】
【０００８】
本考案トラック段積載用冶具は、脚柱及び該脚柱により所定高さに支持された台座よりなる架台を、トラック等の荷台上に固定設置して使用するものであるために、荷台面と架台上面との双方を被搬送物積載面として使用するためにトラック等の荷台面を拡大するのと同等の効果を発揮させることが出来るばかりでなく、台座上面に摩擦係数が大なるクッション材を設けてあるために台座上に乗せた被搬送物は、搬送途中に妄動することなく、架台上に混載されている他の被搬送物と接触し、損傷するようなこともない。
【０００９】
また、台座側面に、引き出し可能に積載品固定ロープ取付用取手を設けているために、必要の無いときは台座内側に押し込んである取手を、必要時台座側面に引き出すことにより架台上に載置した被搬送物を架台に固定することを容易にし、ロープ不使用時には、ロープ取付用取手を台座内に引き込んでおくことで、例えば被搬送物の扱いに邪魔になるようなことはない。
【図面の簡単な説明】
【００１０】
【図１】本考案トラック段積載用冶具の正面図。
【図２】同右側面図。
【図３】同平面図。
【図４】架台連結部の斜視図。
【考案を実施するための形態】
【００１１】
本考案トラック段積載用冶具１の形態について図面と共に次に説明する。トラック段積載用冶具１は、トラック荷台２（図１に図示）上に固定可能に積載してなるもので、縦横の梁材３，４とその周囲を囲った周縁梁材５とによって平面視角形に台座６を枠組し、台座６の周縁梁材５の側面に添え板７を固定し、添え板７により脚柱８を台座６に支持し架台９とする。
【００１２】
台座６の上面には生ゴムその他弾性を有し、かつ摩擦係数の大なるクッション材１０を張設する。クッション材１０と台座６の上面との間には、適宜板状の床材（図示せず）を挿入することも可能である。
【００１３】
使用するトラックの荷台２の大きさによっては、架台９の大きさを大きくしなければならないケースが生ずる。そのために架台９を複数連結することを可能にしている。その連結手段の構成は次の通りである。
【００１４】
複数の連結する架台９をそれぞれの添え板７，７が接するようにトラック荷台２上に設置する。そして、互いに隣接する添え板７，７に亘って連結冶具１１を差し渡して重ね合わせ、連結冶具１１と添え板７とを通してボルト１２を差し込みナット１３で固定する。架台９には後述する如く、架台９の正面側（図１に示す）又はその反対の背面側、即ち、トラック荷台２の横から積荷を積み込むために、架台９の正面側及び背面側には架台９の補強のための斜行梁などは設けられておらず、図２に示す如く、架台９の側面側の脚柱８，８の頂部と基部との間に斜行梁１４を設けることで補強の目的を達成している。
【００１５】
連結冶具１１には平面視コ字状の取手１５が設けられており、必要に応じ取手１５にワイヤー等の固定部材１６を掛けトラック荷台２のフック１７と連結し、架台９をトラック荷台２に固定する。取手１５は連結冶具１１の他に、台座６の周縁梁材５の添え板７近辺にも設け、適宜個所で架台９を固定することを可能にしている。
【００１６】
本考案トラック段積載用冶具１は次のように使用される。積荷の形状大きさに応じた架台９を選び、必要ならば複数の架台９をトラック荷台２に積載し連結する。複数の架台９を連結する際は、隣接する架台９のコーナー部位の添え板７が接するように位置させ（図１に示す）添え板７に連結冶具１１を重ね両者にボルト１２を通しナット１３を締め付けることによって隣接する架台９，９は互いに固定される。そして複数の架台９，９……は１つの塊となってトラック荷台２上に載置される。
【００１７】
そして積載物２０は、トラック荷台２の横方向から、即ち図１に示す正面側又はその背面側からフォークリフト等で脚柱８，８間に挿入し架台９内に積載される。そして２段積の場合は架台９の上面、即ち、台座６の上面にも積載する。上記荷物積載が終了してから架台９の周縁梁材５に設けられている梁材取手１５と荷台フック１７との間に例えばワイヤーとターンバックルとよりなるが如き固定手段１６を係止して架台９の強度を補強しておく。
【００１８】
架台９の台座６側面に設けてある取手１５は引き出し押し込みが可能に設けられているので、不使用時には取手１５を台座６内に押し込んでおくことにより積載物２０の搭載積み下ろしに邪魔になることはない。
架台９の上面には生ゴム等の摩擦係数が大なるクッション材１０を配しているため、その上面に積載物２０を乗せた場合でも、ずれ等の生ずることはなく安全に搬送することが可能である。
【符号の説明】
【００１９】
１  トラック段積載用冶具
２  トラック荷台
３  縦梁材
４  横梁材
５  周縁梁材
６  台座
７  添え板
８  脚柱
９  架台
１０  クッション材
１１  連結冶具
１２  ボルト
１３  ナット
１４  斜行梁
１５  取手
１６  固定部材
１７  フック
２０  積載物
【図１】
0003150789.tif 000003
【図２】
0003150789.tif 000004
【図３】
0003150789.tif 000005
【図４】
0003150789.tif 000006
【手続補正書】
【提出日】平成21年3月13日(2009.3.13)
【手続補正１】
【補正対象書類名】実用新案登録請求の範囲
【補正対象項目名】全文
【補正方法】変更
【補正の内容】
【実用新案登録請求の範囲】
【請求項１】
台座及び台座を所定高さに支持する脚柱よりなり、台座上面に積載品移動防止用の生ゴム等の、摩擦係数が大なるクッション材を配してなる架台を有し、前記架台には、トラックの荷台と架台とを固定する固定手段を設けてなるトラック段積載用冶具。
【請求項２】
台座側面に、引き出し可能に積載品固定ロープ取付用取手を設けたことを特徴とする請求項１記載のトラック段積載用冶具。
【手続補正２】
【補正対象書類名】明細書
【補正対象項目名】０００７
【補正方法】変更
【補正の内容】
【０００７】
本考案トラック段積載用冶具は、台座及び台座を所定高さに支持する脚柱よりなり、台座上面に積載品移動防止用の生ゴム等の、摩擦係数が大なるクッション材を配してなる架台を有し、前記架台には、トラックの荷台と架台とを固定する固定手段を設けてなる。
【手続補正３】
【補正対象書類名】明細書
【補正対象項目名】００１７
【補正方法】変更
【補正の内容】
【００１７】
そして積載物２０は、トラック荷台２の横方向から、即ち図１に示す正面側又はその背面側からフォークリフト等で脚柱８，８間に挿入し架台９内に積載される。そして２段積の場合は架台９の上面、即ち、台座６の上面にも積載する。上記荷物積載が終了してから架台９の周縁梁材５に設けられている梁材取手１５と荷台フック１７との間に例えばワイヤーとターンバックルとよりなるが如き固定部材１６を係止して架台９の強度を補強しておく。